(57)【特許請求の範囲】
【請求項１】
展示スペースの開口面の高さを画定する複数枚の前面パネルを、平面視で直列状に延びるようにして昇降自在に配置して成る展示装置において、
相隣接した前面パネルのうち一方の前面パネルの側端面に、他方の前面パネルの側端面に向けて突出する突条を上下略全長にわたって延びるように設け、相隣接した前面パネルのうち他方の前面パネルの側端面には、前記一方の前面パネルの突条が非接触状態で嵌まり込む溝条を上下略全長にわたって延びるように設け、両前面パネルのうち少なくともいずれか一方の前面パネルの側端部に、隣接した前面パネルの突条又は溝条に前後ずれ不能に嵌合した状態で転動し得るローラを設けたことを特徴とする展示装置の昇降式前面パネル。
【請求項２】
「請求項１」において、前記一方の前面パネルの突条を平断面山形に形成する一方、他方の前面パネルの溝条を平断面Ｖ形に形成し、他方の前面パネルの側端部に、一方の前面パネルの突条に嵌合した状態で上下方向に転動し得る第１ローラを設け、他方の前面パネルの側端部のうち溝条の後部に、溝条に連続した状態で一方の前面パネルに向けて突出する断面山形の突起を上下方向に沿って延びるように形成し、この突起の断面形状を前記一方の前面パネルの突条と同じ断面形状に形成する一方、前記一方の前面パネルの側端部に、前記突起に前後ずれ不能に嵌合した状態で転動し得る第２ローラを設けたことを特徴とする展示装置の昇降式前面パネル。
【発明の詳細な説明】
【０００１】
【発明の属する技術分野】
本発明は、例えば博物館や美術館に設置する大型の展示装置において、昇降式前面パネルの側端部のガイド構造に関するものである。
【０００２】
【従来の技術・発明が解決しようとする課題】
博物館や美術館における展示装置は一般に建物の壁面に沿って設置されており、壁面に沿って展示台を設け、この展示台の前面の上方に、天井面まで延びる前面パネルを固定的に設けることにより、展示スペースの開口面の高さを画定する構造になっている。
【０００３】
しかし、展示物の高さ寸法はまちまちであるため、従来のように前面パネルの高さが一定であると、見栄えのする効果的な展示ができないことがあると共に、防盗性や防災性の点からも問題がある。
この点については、前面パネルを昇降自在に構成すれば良いは考えられるが、この種の展示装置は横幅が長大であるため、前面パネルを複数枚に分割して、各前面パネルを個別に昇降できるようにせねばならない。
【０００４】
そして、このように複数枚の前面パネルを配設した場合、美感の点からは、各前面パネルの前面を同一平面状に揃えると共に、前面パネルの奥が露出しないよう相隣接したパネルの端面間の隙間を塞いだ状態にしておくことが望ましい。
この要請については、例えば間仕切で採用されているパネル間の接合構造を転用して、相隣接した一方の前面パネルの端面に突条を上下全長にわたって延びるように形成し、他方の前面パネルの端面には、前記突条がきっちり嵌まる溝条を上下全長にわたって延びるように形成する等して、相隣接した前面パネルの側端部を互いに嵌め合わせれば良いと考えられる。
【０００５】
しかし、各前面パネルを高さ調節する場合、各前面パネルを一斉に昇降させるとは限らず、一部の前面パネルだけを昇降させて一部の展示スペースだけを使用したり、動力容量の点から前面パネルを１枚ずつ又は複数枚ずつ昇降させたりすることがあるため、隣接した前面パネルの側端面をきっちり嵌合させると、前面パネルの昇降に際して前面パネルと前面パネルとの側端面間にこじれが生じて、前面パネルを円滑に昇降させることができなくなる虞がある。
【０００６】
本発明は、複数枚の前面パネルを、その前面を揃えた状態でしかも前面パネル間の隙間を塞いだ状態で円滑に昇降させ得ることを目的とするものである。
【０００７】
【課題を解決するための手段】
この目的を達成するため本発明の展示装置は、
「展示スペースの開口面の高さを画定する複数枚の前面パネルを、平面視で直列状に延びるようにして昇降自在に配置して成る展示装置において、
相隣接した前面パネルのうち一方の前面パネルの側端面に、他方の前面パネルの側端面に向けて突出する突条を上下略全長にわたって延びるように設け、相隣接した前面パネルのうち他方の前面パネルの側端面には、前記一方の前面パネルの突条が非接触状態で嵌まり込む溝条を上下略全長にわたって延びるように設け、両前面パネルのうち少なくともいずれか一方の前面パネルの側端部に、隣接した前面パネルの突条又は溝条に前後ずれ不能に嵌合した状態で転動し得るローラを設ける」
の構成にした。
【０００８】
【発明の奏する効果】
このように構成すると、一部の前面パネルのみを昇降させたり、前面パネルを１枚ずつ又は複数枚ずつ順番に昇降させたりする場合、その昇降がローラによってガイドされるから、前面パネルはこじれを生じることなく円滑に昇降する。
また、ローラは相手側の前面パネルの突条又は溝条に対して前後動不能に嵌合しているから、相隣接した２枚の前面パネルは、その前面を揃えた状態に保持される。更に、突条と前面パネルとが嵌まり合った状態になっているから、前面パネルの端面間の隙間は塞がれた状態になっている。
【０００９】
従って本発明によると、美感を向上した状態で前面パネルを円滑に昇降させることができる効果を有する。
特に請求項２のように構成すると、相隣接した前面パネルが前後２か所で互いにガイドされるから、前後方向のガタ付きを著しく抑制して前面パネルの昇降をより一層円滑にできる利点がある。また、一方の前面パネルの突条と他方の前面パネルの突起とが同じ形状であるから、第１ローラと第２ローラとを共通化して製造コストを低減できる利点もある。
【００１０】
【発明の実施形態】
次に、本発明の実施例を図面に基づいて説明する。
図１〜図６は第１実施例であり、このうち図１は建物の壁面Ａに沿って設置した展示装置１の概略斜視図、図２は部分正面図、図３は図２のIII − III視平面図である。
【００１１】
展示装置１は、壁面Ａに沿って延びる展示台２と、この展示台２の前部上方に平面視で直列状に配置した複数枚の前面パネル３とを備えており、前面パネル３によって展示スペース４の開口面の高さを画定している。なお、前面パネル３の裏側に透明なガラス板を配置しても良い。
展示台２の前端部には左右適宜間隔で縦枠材５を立設しており、これら各縦枠材５を梁部材６によって倒れ不能に保持している。支柱５には、壁面Ａの全幅に沿って延びる横桟部材７を上下適宜間隔で複数本固着している。
【００１２】
各前面パネル３は、左右両端部と中央部との３箇所で昇降自在にガイドされており、図４（Ａ）の模式的な側面図で示すようにしてガイドされる。
すなわち、各前面パネル３の裏面のうち左右両端部と中央部との３か所に、上下全長にわたって延びるパネル側レール８を固着する一方、前記横桟部材７には、各パネル側レール８に対応した固定レール９を取り付け、更に、各固定レール８とパネル側レール９との間にサスペンションレール１０を上下動自在に嵌合させることにより、前面パネル３の昇降をガイドするようにしている。
【００１３】
図１に示すように、各前面パネル３は２本のワイヤー１１で吊り下げられており、このワイヤー１１を、複数個のプーリ１２を介してドラム１３に巻き取り、モータ１４でドラム１３を正逆回転することにより、図１に一点鎖線及び二点鎖線で示すように前面パネル３を任意の高さに昇降させることができる。
図４（Ｂ）は展示装置１の部分正面図、図５は図４（Ｂ）のＶ−Ｖ視断面図、図６は図４（Ｂ）のVI−VI視断面図であり、これらの図に基づいて相隣接した前面パネル３間のガイド構造を説明する。
【００１４】
図５に示すように、相隣接した前面パネル３のうち一方のパネルの端面に断面山形の突条１７を上下全長にわたって延びるように形成し、他方の前面パネル３の端面に、前記突条１７が非接触状態で嵌まり込む断面Ｖ形の溝条１８と、この溝条１８の後部に連続した状態で一方の前面パネル３に向けて突出する断面山形の突起１９とを形成している。前記突条１７と突起１９とは同じ角度に設定している。
【００１５】
そして、溝条１８と突起１９を形成する部材の下端部をそれぞれ切り欠いて、この切り欠き部２０に、他方の前面面パネル３に固着した第１ブラケット板２１を挿入し、第１ブラケット板２１に、一方の前面パネル３の突条１７に前後ずれ不能に嵌合するよう外周面にＶ溝を形成した第１ローラ２２を回転自在に取り付けている。
【００１６】
更に、突条１７を形成する部材の下端部を後ろ向きに開口するように切り欠いて、この切り欠き部２３に、一方の前面パネル３の背面に固着した第２ブラケット板２４を挿入し、この第２ブラケット板２４に、他方の前面パネル３の突起１９に前後ずれ不能に嵌合する第２ローラ２５を回転自在に取り付けている。突条１７と突起１９とは同じ断面形状であるから、第１ローラ２２と第２ローラ２５も同一形状である。
【００１７】
以上の構成において、いずれかの前面パネル３だけを昇降させたり、各前面パネル３を順番に昇降させたりする場合、２個のローラ２２，２５によって相隣接した前面パネル３の相対的な昇降がガイドされるから、前面パネル３を、こじれを生じることなく円滑に昇降させることができる。
また、両ローラ２２，２５が突条１７及び突起１９に嵌合しているから、前面パネル３が前後方向にずれ動くことが阻止される。
【００１８】
更に、突条１７と溝条１８とが嵌合した状態になっているから、相隣接した前面パネル３の端面間の隙間から後方が覗き見えることもないのである。
図７及び図８に示すのは第２実施例であり、図７は部分正面図、図８（Ａ）は図８のVIIIＡ−VIIIＡ視断面図、図８（Ｂ）は図７のVIIIＢ−VIIIＢ視断面図である。
【００１９】
この実施例では、一方の前面パネル３の端面に平断面山形の突条１７を形成し、他方の前面パネル３の端面には平断面Ｖ形の溝条１８を形成し、一方の前面パネル３の下端部には溝条１８に嵌合するソロバン玉状の第１ローラ２２を転動自在に取り付け、他方の前面パネル３の下端部の端面には、突条１７に嵌合する第２ローラ２５を取り付けたものである。
【００２０】
この実施例では、両ローラ２２，２５は干渉しないよう上下に離反した状態で取り付けている。
上記両実施例は、ローラ２２，２５を前面パネル３の下端部に設けた場合であったが、ローラ２２，２５は上下方向に沿った任意の１か所又は複数箇所に取り付けても良い。
【００２１】
更に、パネル及び溝条の断面形状並びにローラの形状は実施例の形態には限らず、前面パネルを前後ずれ不能に保持した状態で昇降させ得る形態であれば良い。
【図面の簡単な説明】
【図１】展示装置の概略斜視図である。
【図２】展示装置の部分正面図である。
【図３】図２のIII − III視平面図である。
【図４】（Ａ）は前面パネルが下降し切った状態を示す概略側面図、（Ｂ）は展示装置の正面図である。
【図５】図４（Ｂ）のＶ−Ｖ視断面図である。
【図６】図４（Ｂ）のVI−VI視断面図である。
【図７】第２実施例の部分正面図である。
【図８】（Ａ）は図７のVIIIＡ−VIIIＡ視断面図、（Ｂ）は図７のVIIIＢ−VIIIＢ視断面図である。
【符号の説明】
１    展示装置
３    前面パネル
４    展示スペース
１７    突条
１８    溝条
１９    突起
２２    第１ローラ
２５    第２ローラ
【図１】
0003644514.tif 000002
【図２】
0003644514.tif 000003
【図３】
0003644514.tif 000004
【図４】
0003644514.tif 000005
【図５】
0003644514.tif 000006
【図６】
0003644514.tif 000007
【図７】
0003644514.tif 000008
【図８】
0003644514.tif 000009